(57)【要約】【課題】機差の小さい加工検査装置を自動的に関連付けられる加工検査装置関連付けシステムを提供する。【解決手段】装置関連付けシステム１０は、半導体の加工検査装置２０間の関連性を決定する。装置関連付けシステム１０は、複数の加工検査装置２０のそれぞれについて、かつ、ウェハ内の範囲を表す複数のエリアのそれぞれについて、その加工検査装置２０によって処理されたウェハのそのエリアの不良度を表す情報を取得する。また、装置関連付けシステム１０は、第１の加工検査装置の少なくとも１エリアの不良度と、第２の加工検査装置の少なくとも１エリアの不良度とに基づいて、第１の加工検査装置と第２の加工検査装置とを関連付けるか否かを決定する。【選択図】図１１
2018163937.tif 000002
【特許請求の範囲】
【請求項１】
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備える、装置関連付けシステム。
【請求項２】
前記不良度は、各エリアが良エリアであるかまたは不良エリアであるかによって表され、
前記関連性決定機能は、第１の加工検査装置に係る各不良エリアについて、その不良エリアと、第２の加工検査装置に係る少なくとも１つの不良エリアとが所定の近接位置関係を満たす場合に、第１の加工検査装置と第２の加工検査装置とを関連付ける機能である、
請求項１に記載の装置関連付けシステム。
【請求項３】
前記装置関連付けシステムは、前記近接位置関係を定義するための近接位置関係定義画面を出力する機能を備える、請求項２に記載の装置関連付けシステム。
【請求項４】
前記装置関連付けシステムは、第１のウェハを最後に処理した加工検査装置と、加工検査装置間の関連性とに基づき、第１のウェハを次に処理すべき加工検査装置またはその候補を決定する機能をさらに備える、請求項１〜３のいずれか一項に記載の装置関連付けシステム。
【請求項５】
前記装置関連付けシステムは、ウェハに対する各エリアの範囲を定義するためのエリア範囲定義画面を出力する機能を備える、請求項１〜４のいずれか一項に記載の装置関連付けシステム。
【請求項６】
前記第１の加工検査装置は第１の加工検査工程に係る加工検査装置であり、
前記第２の加工検査装置は、前記第１の加工検査工程の次の加工検査工程である第２の加工検査工程に係る加工検査装置である、
請求項１〜５のいずれか一項に記載の装置関連付けシステム。
【請求項７】
前記不良度取得機能は、
処理されたウェハの各エリアに含まれる各チップについてランクを取得する機能と、
各チップについて、所定のチップ評価基準と、そのチップのランクとに基づいて、そのチップが良チップであるか不良チップであるかを判定する機能と、
処理されたウェハの各エリアに含まれる不良チップの数に基づいて、そのエリアの不良度を決定する機能と
を含む、請求項１〜６のいずれか一項に記載の装置関連付けシステム。
【請求項８】
前記装置関連付けシステムは、前記チップ評価基準を指定するための評価基準定義画面を出力する機能を備える、請求項７に記載の装置関連付けシステム。
【請求項９】
コンピュータを、請求項１〜８のいずれか一項に記載の装置関連付けシステムとして機能させるプログラム。
【発明の詳細な説明】
【技術分野】
【０００１】
本発明は、半導体の加工検査装置間の関連性を決定する、装置関連付けシステムおよびプログラムに関する。
【背景技術】
【０００２】
半導体チップの製造に用いる加工検査装置は、装置ごとに特性が異なり、個体差（機差）がある。機差により、同じ種類のウェハでも異なる場所に不良品のチップが発生することがある。ウェハの１つのロットを処理するのに、機差の大きい加工検査装置を多数使用すると、全体として不良品のチップが増え、歩留まりが悪くなる可能性がある。
【０００３】
とくに、半導体の製造工程では、同じ作業を何回も繰り返すことになるため、最後まで同一の装置を使用するのが望ましい。しかし、それでは装置の振り回しに制限がついて生産性が落ちてしまう。
【０００４】
そこで、機差が比較的少ない装置を関連付けてグループとし、あるチップの製造には、ある１つのグループに属する装置のみを使うといった管理方法がしばしば採用されている。このような方法は、たとえば特許文献１に記載される。
【先行技術文献】
【特許文献】
【０００５】
【特許文献１】特開２００１−２５７１４１号公報
【発明の概要】
【発明が解決しようとする課題】
【０００６】
しかしながら、装置のグルーピングは人手で行っているため、必ずしも最適な関連付けがなされない場合があるという問題があった。
【０００７】
なお、特許文献１の技術は、適切なグループを形成する方法が存在することを前提としているが、具体的なグルーピング方法については記載されていない。
【０００８】
この発明は、このような問題点を解決するためになされたものであり、機差の小さい加工検査装置を自動的に関連付けられる加工検査装置関連付けシステムを提供することを目的とする。
【課題を解決するための手段】
【０００９】
上述の問題点を解決するため、この発明に係る装置関連付けシステムは、
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備える。
特定の態様によれば、
前記不良度は、各エリアが良エリアであるかまたは不良エリアであるかによって表され、
前記関連性決定機能は、第１の加工検査装置に係る各不良エリアについて、その不良エリアと、第２の加工検査装置に係る少なくとも１つの不良エリアとが所定の近接位置関係を満たす場合に、第１の加工検査装置と第２の加工検査装置とを関連付ける機能である。
特定の態様によれば、前記装置関連付けシステムは、前記近接位置関係を定義するための近接位置関係定義画面を出力する機能を備える。
特定の態様によれば、前記装置関連付けシステムは、第１のウェハを最後に処理した加工検査装置と、加工検査装置間の関連性とに基づき、第１のウェハを次に処理すべき加工検査装置またはその候補を決定する機能をさらに備える。
特定の態様によれば、前記装置関連付けシステムは、ウェハに対する各エリアの範囲を定義するためのエリア範囲定義画面を出力する機能を備える。
特定の態様によれば、
前記第１の加工検査装置は第１の加工検査工程に係る加工検査装置であり、
前記第２の加工検査装置は、前記第１の加工検査工程の次の加工検査工程である第２の加工検査工程に係る加工検査装置である。
特定の態様によれば、
前記不良度取得機能は、
処理されたウェハの各エリアに含まれる各チップについてランクを取得する機能と、
各チップについて、所定のチップ評価基準と、そのチップのランクとに基づいて、そのチップが良チップであるか不良チップであるかを判定する機能と、
処理されたウェハの各エリアに含まれる不良チップの数に基づいて、そのエリアの不良度を決定する機能と
を含む。
特定の態様によれば、前記装置関連付けシステムは、前記チップ評価基準を指定するための評価基準定義画面を出力する機能を備える。
また、この発明に係るプログラムは、コンピュータを上述の装置関連付けシステムとして機能させる。
【発明の効果】
【００１０】
この発明に係る加工検査装置関連付けシステムおよびプログラムによれば、ウェハを複数のエリアに区分し、エリアごとの不良度の実績に基づいて加工検査装置を関連付けるので、機差の小さい加工検査装置を自動的に関連付けることができる。
【図面の簡単な説明】
【００１１】
【図１】本発明の実施の形態１に係る装置関連付けシステムを含む構成の例を示す図である。
【図２】エリア範囲定義情報の構成の例を示す図である。
【図３】チップ評価基準定義情報の構成の例を示す図である。
【図４】ウェハランク実績情報の構成の例を示す図である。
【図５】ロット定義情報の構成の例を示す図である。
【図６】チップ不良度実績情報の構成の例を示す図である。
【図７】ロット履歴情報の構成の例を示す図である。
【図８】装置不良度実績情報の構成の例を示す図である。
【図９】装置関連性情報の構成の例を示す図である。
【図１０】加工検査装置間の関連性の具体例を示す図である。
【図１１】図１の装置関連付けシステムが加工検査装置間の関連性を決定するために実行する処理の流れの例を示すフローチャートである。
【図１２】図１１のステップＳ６の処理をより詳細に示すフローチャートである。
【図１３】近接位置関係の定義方法の例を示す図である。
【図１４】実施の形態１の変形例に係るエリア範囲定義画面の例である。
【図１５】実施の形態１の変形例に係る評価基準定義画面の例である。
【発明を実施するための形態】
【００１２】
以下、この発明の実施の形態を添付図面に基づいて説明する。
実施の形態１．
図１に、本発明の実施の形態１に係る装置関連付けシステム１０を含む構成の例を示す。通信ネットワークＮを介して、装置関連付けシステム１０と、複数の加工検査装置２０と、進捗サーバ３０と、ＣＴサーバ４０とが互いに通信可能に接続されている。
【００１３】
装置関連付けシステム１０は、半導体の加工検査装置２０間の関連性を決定する、装置関連付けシステムである。「加工検査装置２０間の関連性」とは、加工検査装置２０によって処理されたウェハの状態が似ている度合いを表し、たとえばウェハ上に不良品のチップが発生する位置が同じとなるかまたは近い位置となる度合いを表す。具体例として、互いに関連する加工検査装置によってそれぞれ処理されたウェハは、ウェハ上の同じ位置に不良品のチップが発生する。互いに関連する加工検査装置２０は、機差が小さいということができる。
【００１４】
加工検査装置２０は、半導体のウェハに対する加工処理または検査処理を行う装置である。加工検査装置２０の具体例としては、写真装置や膜厚測定装置等が挙げられる。
【００１５】
進捗サーバ３０およびＣＴサーバ４０は、加工検査装置２０によるウェハに対する処理の進捗を管理する機能を備える。進捗サーバ３０は、ウェハの処理ロットについて、複数の加工検査工程（とくにＷＰ工程およびＷＴ工程）のうちどこまでが完了しており、また、どの工程がどの装置によって実行されたかを表す情報を管理する。また、ＣＴサーバ４０は、ウェハの処理ロットについて、複数の加工検査工程（とくにＣＴ工程）のうちどこまでが完了しており、また、どの工程がどの装置によって実行されたかを表す情報を管理する。
【００１６】
装置関連付けシステム１０は公知のコンピュータとしての構成を備え、演算を行う演算手段１１と、情報を格納する記憶手段１２とを備える。また、とくに図示しないが、装置関連付けシステム１０は、使用者の操作を受け付ける入力手段と、情報を出力する出力手段とを備える。さらに、装置関連付けシステム１０は、通信ネットワークＮを介して外部のコンピュータと情報の送受信を行う通信手段とを備えてもよい。
【００１７】
記憶手段１２は、図２〜図９に示すエリア範囲定義情報Ｄ１、チップ評価基準定義情報Ｄ２、ウェハランク実績情報Ｄ３、ロット定義情報Ｄ４、チップ不良度実績情報Ｄ５、ロット履歴情報Ｄ６、装置不良度実績情報Ｄ７および装置関連性情報Ｄ８を格納する。また、記憶手段１２は図示しないプログラムを格納しており、コンピュータの演算手段がこのプログラムを実行することにより、そのコンピュータは装置関連付けシステム１０として機能する。すなわち、このプログラムは、コンピュータを、本明細書に記載される装置関連付けシステム１０として機能させる。また、コンピュータは、このプログラムを実行することにより、本明細書に記載される装置関連付けシステム１０の機能を実現する。
【００１８】
図２〜図９を用いて、記憶手段１２に格納される情報の構成について説明する。なお、各図は２次元表形式のデータ構造を表しており、図示される列の集合が１つの行（レコード）を構成する。左端に「Ｐ」表記がされている列は主キーである。
【００１９】
図２に、エリア範囲定義情報Ｄ１の構成の例を示す。エリア範囲定義情報Ｄ１は、ウェハ内の範囲を複数のエリアに分割する際の、各エリアの範囲を定義する。エリア範囲定義情報Ｄ１は、エリアのそれぞれについて、ウェハ内においてそのエリアが表す範囲を関連付ける。本実施形態では、各エリアの範囲は矩形であり、対角の２頂点の位置を表す２次元座標の組によって表される。エリア範囲定義情報Ｄ１における座標は、相対座標であり、たとえばウェハが構成する平面内に定義される所定の基準点に対する２次元座標（たとえば設定画面上のピクセル単位）によって表される。
【００２０】
図３に、チップ評価基準定義情報Ｄ２の構成の例を示す。チップ評価基準定義情報Ｄ２は、ウェハ上に製造されたチップのランクそれぞれについて、そのランクの不良度を関連付ける。不良度は、たとえば「良」または「不良」として表され、「良」は良品（良チップ）に対応し、「不良」は不良品（不良チップ）に対応する。
【００２１】
具体例として、チップがＡ〜Ｅの５段階のランクで評価される場合において、製造されたチップの性能が測定されてこれら５段階のいずれかに分類され、ランクがＡ、ＢまたはＣのチップは良チップとされ、ランクがＤまたはＥのチップは不良チップとされる。
【００２２】
図４に、ウェハランク実績情報Ｄ３の構成の例を示す。ウェハランク実績情報Ｄ３は、複数の加工検査工程が完了したウェハ（たとえばすべての加工検査工程が完了したウェハ）のそれぞれについて、そのウェハ上に製造されたチップと、そのチップのランクとを関連付ける。
【００２３】
ウェハランク実績情報Ｄ３は、たとえばＣＴサーバ４０によって作成されるものであってもよく、装置関連付けシステム１０は通信ネットワークＮを介してこれをＣＴサーバ４０から受信してもよい。
【００２４】
この例では、チップは、ウェハの処理ロットを識別するキー番号と、その処理ロット内で特定のウェハを識別するウェハ番号と、そのウェハにおける特定のチップの位置を表す２次元座標との組によって識別される。ウェハランク実績情報Ｄ３における座標は、物理的座標であり、たとえばウェハが構成する平面内に定義される所定の基準点に対する２次元座標（たとえばミリ単位）によって表される。
【００２５】
図５に、ロット定義情報Ｄ４の構成の例を示す。ロット定義情報Ｄ４は、ウェハの処理ロットのそれぞれについて、そのウェハ上に製造されるチップの名称（チップ名）と、製造方式とを関連付ける。製造方式は、そのチップを製造するための加工検査工程（１つ以上）の順序付きリストである。なお、加工検査装置と加工検査工程との関連は一般的には１対１ではなく、単一の加工検査装置が複数の加工検査工程を実行できる場合もある。
【００２６】
ロット定義情報Ｄ４は、たとえば進捗サーバ３０によって作成されるものであってもよく、装置関連付けシステム１０は通信ネットワークＮを介してこれを進捗サーバ３０から受信してもよい。
【００２７】
図６に、チップ不良度実績情報Ｄ５の構成の例を示す。チップ不良度実績情報Ｄ５は、ウェハ上に製造されたチップのそれぞれについて、そのチップの不良度を表す情報を関連付ける。チップの不良度は、本実施形態では「良」または「不良」として表される。
【００２８】
この例では、チップは、ウェハ内でそのチップが属するエリアを識別するエリア番号（図２のものに対応する）と、ウェハの処理ロットを識別するキー番号（図４および図５のものに対応する）と、その処理ロット内で特定のウェハを識別するウェハ番号（図４のものに対応する）と、そのウェハにおける特定のチップの位置を表す２次元座標との組によって識別される。チップ不良度実績情報Ｄ５における座標は相対座標であり、たとえば当該エリアの基準点（たとえばエリアの左下頂点）に対する位置を表す。
【００２９】
また、この例では、チップ不良度実績情報Ｄ５はさらに、チップのそれぞれについて、そのチップのチップ名および製造方式（いずれも図５のものに対応する）を関連付ける。
【００３０】
図７に、ロット履歴情報Ｄ６の構成の例を示す。ロット履歴情報Ｄ６は、ウェハの処理ロットのそれぞれについて、そのロットに対して行われた加工検査処理の履歴を関連付ける。この例では、加工検査処理の履歴は、加工検査工程を表す情報と、その加工検査工程を実行した加工検査装置を表す情報との組を１つ以上含むリスト（工程リスト）の形式で表される。
【００３１】
ロット履歴情報Ｄ６は、たとえば進捗サーバ３０によって作成されるものであってもよく、装置関連付けシステム１０は通信ネットワークＮを介してこれを進捗サーバ３０から受信してもよい。
【００３２】
図８に、装置不良度実績情報Ｄ７の構成の例を示す。装置不良度実績情報Ｄ７は、加工検査装置２０のそれぞれについて、その加工検査装置２０によって処理されたウェハの各エリアの不良度を関連付ける。
【００３３】
本実施形態では、エリアの不良度は、「良」または「不良」として表され、「良」は良エリアに対応し、「不良」は不良エリアに対応する。エリアの不良度は、本実施形態ではそのエリア内のチップの不良度に基づいて決定され、たとえばエリア内の不良チップが所定数を超えていれば、そのエリアは不良エリアであるとされ、そうでなければそのエリアは良エリアであるとされる。
【００３４】
また、本実施形態では、エリアの不良度は、チップ名ごとに、かつ、製造方式ごとに定義される。すなわち、本実施形態では、装置不良度実績情報Ｄ７は、装置名（図７のものに対応する）と、チップ名および製造方式（図５のものに対応する）と、エリア番号（図２のものに対応する）との組ごとに定義される。
【００３５】
なお、複数のウェハに同一種類のチップが製造されている場合には、エリアの不良度は、該当するすべてのウェハのそのエリア内の不良チップの不良度に基づいて決定されてもよい（たとえば各ウェハの不良チップの数の合計または平均を用いてもよい）。
【００３６】
図９に、装置関連性情報Ｄ８の構成の例を示す。装置関連性情報Ｄ８は、複数の加工検査装置を関連付ける。本実施形態では、関連付けは、互いに連続する工程を実行可能な加工検査装置間で行われる。
【００３７】
図１０に、加工検査装置間の関連性の具体例を示す。ウェハのある処理ロットに対して、工程Ｘ（第１の加工検査工程）および工程Ｙ（第２の加工検査工程）が連続して実行されるとする。図９の例では、このうち先の工程（図１０の工程Ｘ）を実行する加工検査装置を「主装置」（第１の加工検査装置）と呼び、後の工程（図１０の工程Ｙ）を実行する加工検査装置を「従装置」（第２の加工検査装置）と呼ぶ。すなわち、主装置は工程Ｘに係る加工検査装置であり、従装置は、工程Ｘの次の加工検査工程である工程Ｙに係る加工検査装置であるということができる。
【００３８】
装置関連性情報Ｄ８は、たとえば主装置のそれぞれに対して１つ以上の従装置を関連付ける形式とすることができる。図１０の例では、矢印が装置間の関連性を表し、矢印の始点が主装置を表し、矢印の終点が従装置を表す。たとえば、装置ａを主装置として、装置ａ自身と、装置ｂと、装置ｃとが従装置となっている。言い換えると、装置ａを主装置とするグループに、装置ａ自身と、装置ｂと、装置ｃとが含まれると表現することができる。同様に、装置ｂを主装置とするグループには、装置ｂ自身のみが含まれ、装置ｄを主装置とするグループには、装置ｃおよび装置ｄが含まれ、装置ｃを主装置とするグループおよび装置ｅを主装置とするグループには、いずれの装置も含まれないと表現することができる。
【００３９】
１つの加工検査装置が複数の工程を実行可能である場合には、その加工検査装置はそれ自身に対して主装置または従装置となり得る。図１０の例では装置ａ、装置ｂおよび装置ｄがそのような場合を表す。
【００４０】
主装置および従装置は相対的な属性であり、たとえば３つの工程を含む製造方式では、第２の工程を実行する装置は、第１の工程を実行する装置に対しては従装置となり得るし、第３の工程を実行する装置に対しては主装置となり得る。
【００４１】
本実施形態では、関連付けは、チップ名ごとに、かつ、製造方式ごとに定義される。すなわち、本実施形態では、図９に示すように、装置関連性情報Ｄ８は、チップ名および製造方式（図５のものに対応する）と、主装置との組ごとに定義される。また、本実施形態では、装置関連性情報Ｄ８は、登録日時（たとえばレコードが作成された日時またはその主装置について関連性が定義された日時）を含む。
【００４２】
以上のように構成される装置関連付けシステム１０の動作を、以下に説明する。
図１１は、装置関連付けシステム１０が加工検査装置間の関連性を決定するために実行する処理の流れの例を示すフローチャートである。
【００４３】
この処理において、まず装置関連付けシステム１０は、エリア範囲定義情報Ｄ１を取得する（ステップＳ１）。次に、装置関連付けシステム１０は、チップ評価基準定義情報Ｄ２を取得する（ステップＳ２）。次に、装置関連付けシステム１０は、不良エリアの近接位置関係を取得する（ステップＳ３。なお近接位置関係については図１３等を参照して後述する）。次に、装置関連付けシステム１０は、ロット定義情報Ｄ４を取得する（ステップＳ４）。
【００４４】
次に、装置関連付けシステム１０は、複数の加工検査装置のそれぞれについて、かつ、エリアのそれぞれについて、不良度を取得する（ステップＳ５、不良度取得機能）。この処理は、たとえば、まずステップＳ１〜Ｓ４で取得した各情報に基づいてチップ不良度実績情報Ｄ５を作成し、次にロット履歴情報Ｄ６を取得し、さらにチップ不良度実績情報Ｄ５およびロット履歴情報Ｄ６に基づいて装置不良度実績情報Ｄ７を作成することによって、実行することができる。
【００４５】
ここで、チップ不良度実績情報Ｄ５を作成する処理の具体例は、次のようになる。まず装置関連付けシステム１０は、ウェハランク実績情報Ｄ３を取得する。この際に、装置関連付けシステム１０は進捗サーバ３０またはＣＴサーバ４０と通信して、ウェハランク実績情報Ｄ３またはこれに関連する情報を受信してもよい。そして、装置関連付けシステム１０は、ウェハランク実績情報Ｄ３に基づき、処理されたウェハの各エリアに含まれる各チップについてランクを取得する。
【００４６】
次に、装置関連付けシステム１０は、各チップについて、所定のチップ評価基準（たとえばチップ評価基準定義情報Ｄ２）と、そのチップのランクとに基づいて、そのチップが良チップであるか不良チップであるかを判定する。そして、装置関連付けシステム１０は、ウェハランク実績情報Ｄ３に定義されたそのチップの物理的座標と、エリア範囲定義情報Ｄ１に定義された各エリアの範囲とに基づいて、そのチップが属するエリアおよびそのエリア内におけるそのチップの相対座標を算出する。さらに、装置関連付けシステム１０は、処理されたウェハの各エリアに含まれる不良チップの数を表す情報に基づいて、そのエリアの不良度を決定する。
【００４７】
このようにして各エリアの不良度を取得した後、装置関連付けシステム１０は、加工検査装置間の関連性を決定する（ステップＳ６、関連性決定機能）。
図１２は、ステップＳ６の処理をより詳細に示すフローチャートである。図１２に示す処理において、装置関連付けシステム１０は、主装置の少なくとも１エリアの不良度と、従装置の少なくとも１エリアの不良度とに基づいて、主装置と従装置とを関連付けるか否かを決定する。（なお、厳密に表現すると、関連付けが行われない時点では主装置・従装置の組は定義されていないが、本明細書では、主装置の候補および従装置の候補をそれぞれ主装置および従装置と表現する場合がある）。
【００４８】
図１２の処理は、加工検査装置のそれぞれを対象として繰り返し実行される。まず装置関連付けシステム１０は、対象の加工検査装置を主装置（厳密には主装置の候補。以下省略）として特定する（ステップＳ６１）。
【００４９】
次に、装置関連付けシステム１０は、主装置に係る不良エリアを特定する（ステップＳ６２）。この処理は、たとえば装置不良度実績情報Ｄ７に基づき、その加工検査装置について不良エリアとなっているエリア番号をすべて抽出することにより実行可能である。
【００５０】
次に、装置関連付けシステム１０は、処理中の主装置について、１つ以上の従装置（厳密には従装置の候補。以下省略）を特定する（ステップＳ６３）。この処理は、たとえば、ロット履歴情報Ｄ６に基づき、処理中の主装置が含まれるレコードをすべて抽出した後に、その主装置の次の工程に記録されている装置を従装置として抽出することにより実行可能である。
【００５１】
次に、装置関連付けシステム１０は、主装置に係る各不良エリアについて、その不良エリアと、従装置に係る少なくとも１つの不良エリアとが所定の近接位置関係を満たすか否かを判定する（ステップＳ６４）。
【００５２】
図１３に、この近接位置関係の定義方法の例を示す。この例では、近接位置関係は、「０」「１」「２」「３」「４」のうちいずれかの値を取るパラメータによって定義される。主装置に係る不良エリアを「０」として表される位置に置き、パラメータが表す値以下の値に対応する位置のいずれかに従装置に係る不良エリアが存在する場合に、近接位置関係を満たすと判定され、そうでない場合には近接位置関係を満たさないと判定される。
【００５３】
たとえば、パラメータが「０」である場合には、主装置に係る不良エリアが従装置においても不良エリアとなっている場合のみ、近接位置関係を満たすと判定される。また、たとえば、パラメータが「１」である場合には、主装置に係る不良エリアと、その上下左右に隣接する各エリアとの合計５つのエリアのうち少なくとも１箇所に、従装置に係る不良エリアが存在する場合には、近接位置関係を満たすと判定され、そうでない場合には近接位置関係を満たさないと判定される。
【００５４】
このように、パラメータの値が最小値（０）である場合には、近接位置関係を満たすための条件が厳しく、パラメータの値が大きくなるにつれて、近接位置関係を満たすための条件が緩くなるということができる。
【００５５】
このようにして、主装置の不良エリアごとに近接位置関係の判定が行われ、すべての不良エリアについて近接位置関係を満たすと判定された場合には、装置関連付けシステム１０は、主装置と従装置とを関連付ける（ステップＳ６５）。主装置に係るいずれかの不良エリアについて近接位置関係が満たされなかった場合には、装置関連付けシステム１０はステップＳ６５を実行しない。したがってこの場合には、主装置と従装置とは関連付けられず、それら２つの装置は主装置および従装置としての関係にはないということになる。
【００５６】
このように、装置関連付けシステム１０は、不良エリアが互いに近い位置にある装置どうしを関連付ける。ここで、不良エリアが互いに近い位置にある装置は、機差が小さいということができる。
【００５７】
ステップＳ６４およびＳ６５は、処理中の主装置に対する従装置のそれぞれについて繰り返し実行される。以上のようにしてステップＳ６が実行され、加工検査装置間の関連性が決定される。
【００５８】
次に、装置関連付けシステム１０は、加工検査装置間の関連性を出力する（ステップＳ７）。この出力は、たとえば装置関連付けシステム１０の使用者に対して、画面表示の形式で行われる。表示内容はとくに図示しないが、たとえば主装置のそれぞれについて、装置名を表示するとともに、対応する従装置の装置名をリストして表示するという形式であってもよい。
【００５９】
次に、装置関連付けシステム１０は、加工検査装置間の関連性を、ステップＳ６において決定されたものに確定させるか、または異なる内容とするかを決定する（ステップＳ８）。これはたとえば使用者の指示に応じて行われてもよい。たとえば装置関連付けシステム１０は、ステップＳ７において関連性を表示した上で、使用者に対してその内容で確定させて良いか、または関連付け処理をやり直すかを問い合わせるメッセージを出力するとともに、使用者からの指示を受け付けてもよい。
【００６０】
関連性を確定させると決定した場合（たとえば使用者から確定させるという指示が入力された場合）には、装置関連付けシステム１０は装置関連性情報Ｄ８を作成するとともに記憶する（ステップＳ９）。
【００６１】
関連性を確定させないと決定した場合（たとえば使用者から関連付け処理をやり直すという指示が入力された場合）には、装置関連付けシステム１０は処理をステップＳ１に戻す。ここで、なお、ここで使用者は、定義情報の一部を変更しておくことにより、関連付けの実行結果を変更させることができる。たとえば、ステップＳ１の再実行に際し、エリア範囲定義情報Ｄ１の内容を変更しておいてもよいし、ステップＳ３の再実行に際し、近接位置関係を表すパラメータを変更しておいてもよい。
【００６２】
以上説明するように、本発明の実施の形態１に係る装置関連付けシステム１０によれば、ウェハを複数のエリアに区分し、エリアごとの不良度の実績に基づいて加工検査装置を関連付けるので、機差の小さい加工検査装置を自動的に関連付けることができる。
【００６３】
なお、すべてのウェハが、まったく同じ加工検査装置の組み合わせによって処理されるケース（たとえば図１０において、すべてのロットが装置ａ→装置ｂという処理ルートを経るケース）では、すべての加工検査装置について不良エリアが完全に一致する場合があり、そのような場合には本発明の効果が得られない可能性がある。しかしながら、他の組み合わせで処理されるウェハが存在する場合（たとえば、ロットによって装置ａ→装置ｂという処理ルートと装置ａ→装置ｃという処理ルートに分散するケース）では、各ウェハの不良チップの現れ方に応じて各加工検査装置の不良エリアが異なる場合があり、そのような場合には本発明の効果を得られる可能性がある。
【００６４】
関連付けの結果はどのように利用してもよい。たとえば、各製造方式における最初の装置のみ人間が決定し、その後の装置は装置関連性情報Ｄ８に記憶された関連性に従って決定してもよい。すなわち、たとえば装置ａにおいて加工検査処理を行った場合に、その次の工程では、装置ａを主装置とする従装置のいずれかにおいて加工検査処理を行い、さらに、その従装置を主装置とするさらなる従装置のいずれかにおいて加工検査処理を行う、というように、順次加工検査装置を選択することができる。
【００６５】
１つの主装置に対して複数の従装置が関連付けられている場合の、従装置の選択基準は任意である。装置間の優先順位を予め定義しておいてもよいし、最も使用回数の少ない従装置を優先して選択してもよいし、ランダムに選択してもよい。
【００６６】
結果として、より容易に不良チップの発生をウェハの特定箇所に集中させ、歩留まりを向上させることができる。
【００６７】
上述の実施の形態１において、以下のような変形を施すことができる。
装置関連付けシステム１０は、ウェハに対する各エリアの範囲を定義するための画面（エリア範囲定義画面）を出力する機能を備えてもよい。
図１４に、エリア範囲定義画面の例を示す。この例では、エリア範囲定義画面は他にも様々な機能を同時に果たすものであり、「装置グルーピング画面」というタイトルが表示されている。
【００６８】
たとえば装置関連付けシステム１０は、このエリア範囲定義画面において、エリア範囲定義情報Ｄ１に含まれる情報の入力を受け付ける。たとえば図１４の「エリア範囲定義」領域では、ウェハを表す円が３×３の合計９個のエリアに分割されており、エリア１の始点座標は（０，０）であり、エリア９の終点座標は（１００００，１００００）である。エリアの数と、各エリアの始点座標および終点座標とを入力する方法は任意に設計可能であるが、たとえば、使用者の操作に応じ、ウェハの画像に重なって縦方向または横方向に伸びる直線を追加、移動または削除する機能によって実現可能である。
【００６９】
図１４の例では、左右端の２本の直線および上下端の２本の直線は固定されており、それらの間に縦横２本ずつの直線が追加された状態を表す。なお、このような指定方法では、縦に並ぶ各エリアのＸ座標はすべて同一であり、たとえば、エリア１、エリア４およびエリア７について、エリア始点座標（Ｘ）はいずれも０となり、また、エリア終点座標（Ｘ）はいずれも同一の値となる。同様に、横に並ぶ各エリアのＹ座標はすべて同一であり、たとえば、エリア１、エリア２およびエリア３について、エリア始点座標（Ｙ）はいずれも０となり、また、エリア終点座標（Ｙ）はいずれも同一の値となる。装置関連付けシステム１０は、画面上で直線が追加、移動または削除される都度、エリア範囲定義情報Ｄ１を更新してもよい。
【００７０】
また、装置関連付けシステム１０は、チップ評価基準を指定するための画面（評価基準定義画面）を出力する機能を備えてもよい。
図１５に、評価基準定義画面の例を示す。この例では、チップの評価は「Ａ」〜「Ｅ」の５段階で行われ、そのうち「Ａ」〜「Ｃ」の評価が良チップに対応し、「Ｄ」および「Ｅ」の評価が不良チップに対応する。
【００７１】
評価基準を入力する方法は任意に設計可能であるが、たとえば、ランクごとに「良」または「不良」を指定する入力を受け付ける機能によって実現可能である。装置関連付けシステム１０は、画面上でこれらの指定が入力される都度、チップ評価基準定義情報Ｄ２を更新してもよい。
【００７２】
また、装置関連付けシステム１０は、近接位置関係を定義するための画面（近接位置関係定義画面）を出力する機能を備えてもよい。このような画面の具体例はとくに図示しないが、たとえば図１３に示すような関係図を表示する画面であってもよい。また、その画面において、装置関連付けシステム１０は、パラメータとして０〜４のいずれかを指定する情報の入力を受け付けてもよい。
【００７３】
これらの画面は、装置関連付けシステム１０の動作（たとえば図１１に示す処理）に関連して適時に表示されてもよい。たとえば、装置関連付けシステム１０は、ステップＳ１においてエリア範囲定義画面（図１４）を表示し、使用者の操作に応じてエリア範囲定義情報Ｄ１を取得してもよい。また、ステップＳ２において評価基準定義画面（図１５）を表示し、使用者の操作に応じてチップ評価基準定義情報Ｄ２を取得してもよい。さらに、ステップＳ３において近接位置関係定義画面（図１３の関係図を含むもの）を表示し、使用者の操作に応じて所定の近接位置関係（またはこれを表すパラメータ）を取得してもよい。
【００７４】
また、装置関連付けシステム１０は、各画面間の遷移動作に従ってステップＳ１１の処理を進めまたは戻すよう構成されてもよい。たとえば、エリア範囲定義画面（図１４）において、処理をステップＳ２に進めることを指示するための手段を表示してもよい。図１４の例では、「ランク毎の良・不良定義」という表記の右側の「設定」ボタンがそのような手段に相当する。使用者がこのボタンを操作すると、装置関連付けシステム１０は評価基準定義画面（図１５）を表示してステップＳ２に処理を進める。
【００７５】
また、たとえば、エリア範囲定義画面（図１４）において、処理をステップＳ３に進めることを指示するための手段を表示してもよい。図１４の例では、「近接設定」という表記の右側のプルダウンメニューがそのような手段（この例では「１」が設定されている）に相当する。使用者がこのプルダウンメニューを操作すると、装置関連付けシステム１０はこれに応じてパラメータを更新する（この例では図１３に示すような関係図の表示は省略される）。
【００７６】
また、たとえば、エリア範囲定義画面（図１４）において、エリアの不良度を判定するための基準を指示するための手段を表示してもよい。図１４の例では、「エリアの良・不良定義」という表記の右側の数値入力欄がそのような手段（この例では「２０」が設定されている）に相当する。使用者が欄に数値を入力すると、装置関連付けシステム１０はこれに応じてエリアの不良度を決定する。この例では、エリア内の不良チップが２０個を超えていればそのエリアは不良エリアであると判定され、エリア内の不良チップが２０個以下（０個の場合を含む）しかなければそのエリアは良エリアであると判定されることになる。
【００７７】
また、たとえば、エリア範囲定義画面（図１４）において、処理をステップＳ４以降に進めることを指示するための手段を表示してもよい。図１４の例では、「関連付け実行」と表記されたボタンがそのような手段に相当する。
【００７８】
実施の形態１では、装置関連付けシステム１０は、加工検査処理の進行とは独立して動作する。変形例として、装置関連付けシステム１０は、加工検査処理の進行と連動して動作してもよく、加工検査処理の進行に応じて情報を出力する機能を備えてもよい。
【００７９】
たとえば、装置関連付けシステム１０は、ウェハの各処理ロットについて、１つの工程が終了する都度、装置関連性情報Ｄ８に基づき、次にその処理ロットを処理すべき加工検査装置またはその候補を指定してもよい。言い換えると、装置関連付けシステム１０は、あるウェハ（第１のウェハ）を最後に処理した加工検査装置と、加工検査装置間の関連性とに基づき、そのウェハを次に処理すべき加工検査装置またはその候補を決定してもよい。
【００８０】
より具体的には、進捗サーバ３０は、各処理ロットについて各工程が終了する都度、装置関連付けシステム１０に、処理が終了した加工検査装置を表す情報を送信してもよい。装置関連付けシステム１０は、これを受信し、その加工検査装置を主装置とする従装置のうちから１つを選択して特定し、出力してもよい。その際、１つの主装置に対して複数の従装置が関連付けられている場合には、それらすべてを候補として出力してもよいし、任意の基準に従って１つの従装置を選択してもよい。基準としては、装置間の優先順位を予め定義しておいてもよいし、最も使用回数の少ない従装置を優先して選択してもよいし、ランダムに選択してもよい。半導体工場の作業員等は、この出力を参照して、その処理ロットを適切な従装置に処理させてもよい。
【００８１】
実施の形態１では、加工検査装置間の関連付けは、互いに連続する工程を実行可能な加工検査装置間でのみ行われる。変形例として、工程の連続性に関わらず加工検査装置間の関連付けを行ってもよい。たとえば、ある主装置について、それよりも後の工程に係る装置をすべて従装置の候補としてもよい。
【符号の説明】
【００８２】
１０  装置関連付けシステム、２０，ａ〜ｆ  加工検査装置（ａ，ｂ，ｄ  主装置（第１の加工検査装置）、ａ〜ｄ  従装置（第２の加工検査工程））、Ｓ５  ステップ（不良度取得機能）、Ｓ６  ステップ（関連性決定機能）、Ｘ  工程（第１の加工検査工程）、Ｙ  工程（第２の加工検査工程）。
【図１】
2018163937.tif 000003
【図２】
2018163937.tif 000004
【図３】
2018163937.tif 000005
【図４】
2018163937.tif 000006
【図５】
2018163937.tif 000007
【図６】
2018163937.tif 000008
【図７】
2018163937.tif 000009
【図８】
2018163937.tif 000010
【図９】
2018163937.tif 000011
【図１０】
2018163937.tif 000012
【図１１】
2018163937.tif 000013
【図１２】
2018163937.tif 000014
【図１３】
2018163937.tif 000015
【図１４】
2018163937.tif 000016
【図１５】
2018163937.tif 000017
【手続補正書】
【提出日】平成29年8月31日(2017.8.31)
【手続補正１】
【補正対象書類名】明細書
【補正対象項目名】０００９
【補正方法】変更
【補正の内容】
【０００９】
上述の問題点を解決するため、この発明に係る装置関連付けシステムは、
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記不良度は、各エリアが良エリアであるかまたは不良エリアであるかによって表され、
前記関連性決定機能は、第１の加工検査装置に係る各不良エリアについて、その不良エリアと、第２の加工検査装置に係る少なくとも１つの不良エリアとが所定の近接位置関係を満たす場合に、第１の加工検査装置と第２の加工検査装置とを関連付ける機能である。
また、この発明に係る装置関連付けシステムは、
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記装置関連付けシステムは、第１のウェハを最後に処理した加工検査装置と、加工検査装置間の関連性とに基づき、第１のウェハを次に処理すべき加工検査装置またはその候補を決定する機能をさらに備える。
また、この発明に係る装置関連付けシステムは、
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記第１の加工検査装置は第１の加工検査工程に係る加工検査装置であり、
前記第２の加工検査装置は、前記第１の加工検査工程の次の加工検査工程である第２の加工検査工程に係る加工検査装置である。
特定の態様によれば、前記装置関連付けシステムは、前記近接位置関係を定義するための近接位置関係定義画面を出力する機能を備える。
特定の態様によれば、前記装置関連付けシステムは、ウェハに対する各エリアの範囲を定義するためのエリア範囲定義画面を出力する機能を備える。
特定の態様によれば、
前記不良度取得機能は、
処理されたウェハの各エリアに含まれる各チップについてランクを取得する機能と、
各チップについて、所定のチップ評価基準と、そのチップのランクとに基づいて、そのチップが良チップであるか不良チップであるかを判定する機能と、
処理されたウェハの各エリアに含まれる不良チップの数に基づいて、そのエリアの不良度を決定する機能と
を含む。
特定の態様によれば、前記装置関連付けシステムは、前記チップ評価基準を指定するための評価基準定義画面を出力する機能を備える。
また、この発明に係るプログラムは、コンピュータを上述の装置関連付けシステムとして機能させる。
【手続補正２】
【補正対象書類名】特許請求の範囲
【補正対象項目名】全文
【補正方法】変更
【補正の内容】
【特許請求の範囲】
【請求項１】
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記不良度は、各エリアが良エリアであるかまたは不良エリアであるかによって表され、
前記関連性決定機能は、第１の加工検査装置に係る各不良エリアについて、その不良エリアと、第２の加工検査装置に係る少なくとも１つの不良エリアとが所定の近接位置関係を満たす場合に、第１の加工検査装置と第２の加工検査装置とを関連付ける機能である、
装置関連付けシステム。
【請求項２】
前記装置関連付けシステムは、前記近接位置関係を定義するための近接位置関係定義画面を出力する機能を備える、請求項１に記載の装置関連付けシステム。
【請求項３】
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記装置関連付けシステムは、第１のウェハを最後に処理した加工検査装置と、加工検査装置間の関連性とに基づき、第１のウェハを次に処理すべき加工検査装置またはその候補を決定する機能をさらに備える、
装置関連付けシステム。
【請求項４】
半導体の加工検査装置間の関連性を決定する、装置関連付けシステムであって、
複数の加工検査装置のそれぞれについて、かつ、ウェハ内の範囲を表す複数のエリアのそれぞれについて、その加工検査装置によって処理されたウェハのそのエリアの不良度を表す情報を取得する、不良度取得機能と、
第１の加工検査装置の少なくとも１エリアの不良度と、第２の加工検査装置の少なくとも１エリアの不良度とに基づいて、第１の加工検査装置と第２の加工検査装置とを関連付けるか否かを決定する、関連性決定機能と
を備え、
前記第１の加工検査装置は第１の加工検査工程に係る加工検査装置であり、
前記第２の加工検査装置は、前記第１の加工検査工程の次の加工検査工程である第２の加工検査工程に係る加工検査装置である、
装置関連付けシステム。
【請求項５】
前記装置関連付けシステムは、ウェハに対する各エリアの範囲を定義するためのエリア範囲定義画面を出力する機能を備える、請求項１〜４のいずれか一項に記載の装置関連付けシステム。
【請求項６】
前記不良度取得機能は、
処理されたウェハの各エリアに含まれる各チップについてランクを取得する機能と、
各チップについて、所定のチップ評価基準と、そのチップのランクとに基づいて、そのチップが良チップであるか不良チップであるかを判定する機能と、
処理されたウェハの各エリアに含まれる不良チップの数に基づいて、そのエリアの不良度を決定する機能と
を含む、請求項１〜５のいずれか一項に記載の装置関連付けシステム。
【請求項７】
前記装置関連付けシステムは、前記チップ評価基準を指定するための評価基準定義画面を出力する機能を備える、請求項６に記載の装置関連付けシステム。
【請求項８】
コンピュータを、請求項１〜７のいずれか一項に記載の装置関連付けシステムとして機能させるプログラム。